(57)【特許請求の範囲】
【請求項１】
画像形成を行う本体装置と、該本体装置との境界部に所定の空間を形成して後付け可能な複数のオプション装置と、を組合わせることにより、前記本体装置の画像形成部によっていずれか片方の面に画像が形成されたシート記録材をスイッチバックさせた後に再び前記本体装置の画像形成部に搬送し、前記シート記録材の表裏両面への画像形成を可能とする画像形成システムにおいて、
前記画像形成を行う本体装置と、該本体装置に組み合わされる前記いずれかのオプション装置との境界部に形成される空間に、前記シート記録材を挿入してスイッチバックを行なうためのスイッチバック経路を設定したことを特徴とする画像形成システム。
【請求項２】
前記オプション装置は、少なくとも、前記本体装置の画像形成部にシート記録材を供給する機構および搬送路を備え、かつ、前記オプション装置の上に前記本体装置が載置されることを特徴とする請求項１に記載の画像形成システム。
【請求項３】
少なくとも請求項２に記載のオプション装置とシート記録材をスイッチバックさせるためのオプション装置を備え、
前記オプション装置は、前記シート記録材をスイッチバックさせる時に、前記シート記録材を支持するための支持トレイを備え、該支持トレイは、前記本体装置と、前記オプション装置とにより形成される空間に挿入された状態で、スイッチバックされた前記シート記録材を支持することを特徴とする請求項１に記載の画像形成システム。
【請求項４】
前記支持トレイの下側には、前記シート記録材をスイッチバックさせるオプション装置から請求項２に記載のオプション装置へシート記録材を搬送するための搬送路が形成され、前記支持トレイを前記空間より引き出すことにより開放される前記搬送路を目視できるように、前記支持トレイを透明な材料で形成していることを特徴とする請求項３に記載の画像形成システム。
【請求項５】
前記支持トレイの下側には、前記シート記録材をスイッチバックさせるオプション装置から請求項２に記載のオプション装置へシート記録材を搬送するための搬送路が形成され、前記支持トレイを前記空間より引き出すことにより開放される前記搬送路を目視できるように、前記支持トレイには少なくとも１つ以上の開口が形成されていることを特徴とする請求項３に記載の画像形成システム。
【請求項６】
前記支持トレイは、その一端が、シート記録材をスイッチバックさせるオプション装置に回転可能に支持され、他端が、前記オプション装置上をスムーズに移動可能となる構造としていることを特徴とする請求項３に記載の画像形成システム。
【発明の詳細な説明】
【０００１】
【発明の属する技術分野】
本発明は、シート記録材の両面に画像の形成を可能とした、複写機，プリンタ，ＦＡＸ等の画像形成システムに関する。
【０００２】
【従来技術】
近年、シート記録材の表裏両面に画像を記録できるようにした画像形成装置の需要が高まっている。この種の画像形成装置は、片面に画像が記録されたシート記録材をスイッチバック機構等を用いて反転し、これを再度画像形成部に供給し、裏面側にも画像形成を行えるように構成される。
【０００３】
その構成としては、例えば、本体もしくは後付けの周辺機器内にスイッチバック用のスペースを備えたものや、スイッチバック用のスペースを画像形成装置の外部空間に設け、シート記録材の一部を一旦装置外部に露出させるようにしたもの等がある。
【０００４】
例えば、特開平１−２８１２４９号公報には、画像形成装置本体の一側部に付設したシート処理装置内にスイッチバック通路を設けた構成が開示されており、また、特開平２−２５５４７６号公報には、シートの一部を、正逆転ローラによって一旦装置外部に出すようにしたスイッチバックユニットの構成が提案されている。
【０００５】
【発明が解決しようとする課題】
ところが、スイッチバック用のスペースを、画像形成装置本体内に設けた場合や後付けの周辺機器内に設けた場合には、必然的に、本体装置や周辺装置のサイズが大型化し、かつ、その内部の構成も複雑となり、コスト高になるという問題があった。
【０００６】
また、外部の空間をスイッチバック用のスペースと利用する場合には、その部分に物を置くと、シート記録材をスイッチバックさせる場合に障害となるため、画像形成装置を設置する周囲の状況に制約が発生してしまう。
【０００７】
さらに、外部の空間を排出トレイ上に設けた場合には、排出部に後付けの後処理装置を取付ける時にスイッチバックに対応した特殊な構造を具備した後処理装置しか取付できなくなる等の問題もある。
【０００８】
本発明は、このような実情に鑑みてなされ、本体装置側のスペースを有効に活用することによりスイッチバック用のスペースを確保して、後付けの周辺装置と本体装置をコンパクト化することができる汎用性の高い画像形成システムをコスト安に提供することを目的とする。
【０００９】
【課題を解決するための手段】
本発明は、上述の課題を解決するための手段を以下のように構成している。
【００１０】
（１）画像形成を行う本体装置と、該本体装置との境界部に所定の空間を形成して後付け可能な複数のオプション装置と、を組合わせることにより、前記本体装置の画像形成部によっていずれか片方の面に画像が形成されたシート記録材をスイッチバックさせた後に再び前記本体装置の画像形成部に搬送し、前記シート記録材の表裏両面への画像形成を可能とする画像形成システムにおいて、
前記画像形成を行う本体装置と、該本体装置に組み合わされる前記いずれかのオプション装置との境界部に形成される空間に、前記シート記録材を挿入してスイッチバックを行なうためのスイッチバック経路を設定したことを特徴とする。
【００１１】
この構成においては、画像形成を行う本体装置とオプション装置との境界部に形成される空間を利用して、シート記録材のスイッチバックを行うことができるので、いずれの装置（本体装置およびオプション装置）にもシート記録材のスイッチバックを行う搬送路を設けなくとも済み、それぞれの装置を、構成の複雑化を伴うことなく、コンパクトに形成することができ、ひいては、画像形成システム全体のコンパクト化を図ることができる。また、スイッチバック時に、シート記録材が、本体装置およびオプション装置の外に出ないため、さらてるオプション装置接続の自由度が向上し、汎用性の高い画像形成システムを構成することができる。
【００１２】
（２）前記オプション装置は、少なくとも、前記本体装置の画像形成部にシート記録材を供給する機構および搬送路を備え、かつ、前記オプション装置の上に前記本体装置が載置されることを特徴とする。
【００１３】
この構成においては、オプション装置が、その上に、画像形成を行う本体装置が載置される例えば給紙デスク装置であれば、オプション装置内にシート記録材を本体装置に供給するための機構や搬送路を有していることから、スイッチバックさせたシート記録材を容易に本体装置の画像記録部に効率よく供給することができる。
【００１４】
（３）少なくとも請求項２に記載のオプション装置とシート記録材をスイッチバックさせるためのオプション装置を備え、
前記オプション装置は、前記シート記録材をスイッチバックさせる時に、前記シート記録材を支持するための支持トレイを備え、該支持トレイは、前記本体装置と、前記オプション装置とにより形成される空間に挿入された状態で、スイッチバックされた前記シート記録材を支持することを特徴とする。
【００１５】
この構成においては、本体装置とオプション装置である給紙デスク装置との間の空間でシート記録材をスイッチバックさせる時に、支持トレイによりシート記録材を支持することにより、オプション装置上面の状態の如何を問わず、スムーズにシート記録材をスイッチバックさせることができる。
【００１６】
（４）前記支持トレイの下側には、前記シート記録材をスイッチバックさせるオプション装置から請求項２に記載のオプション装置へシート記録材を搬送するための搬送路が形成され、前記支持トレイを前記空間より引き出すことにより開放される前記搬送路を目視できるように、前記支持トレイを透明な材料で形成していることを特徴とする。
【００１７】
この構成においては、開放されたオプション装置への搬送路を（斜め上から）目視でき、下から覗きこまなくても済み、トラブル（紙詰まり等）の復帰作業を容易に行なうことができる。
【００１８】
（５）前記支持トレイの下側には、前記シート記録材をスイッチバックさせるオプション装置から請求項２に記載のオプション装置へシート記録材を搬送するための搬送路が形成され、前記支持トレイを前記空間より引き出すことにより開放される前記搬送路を目視できるように、前記支持トレイには少なくとも１つ以上の開口が形成されていることを特徴とする。
【００１９】
この構成においては、開放されたオプション装置への搬送路を目視でき、下から除きこまなくても済みトラブル（紙つまり等）の復帰作業を容易に行なうことができる。
【００２０】
（６）前記支持トレイは、その一端が、シート記録材をスイッチバックさせるオプション装置に回転可能に支持され、他端が、前記オプション装置上をスムーズに移動可能となる構造としていることを特徴とする。
【００２１】
この構成においては、支持トレイの一端を回動可能に支持すると共に他端を移動抵抗が低減する構造とすることにより、オプション装置の上面に沿いながらスムーズに支持トレイをスライド移動させることができる。また、シート記録材をスイッチバックさせるオプション装置を梱包し搬送する場合に、支持トレイを折りたたみ梱包しやすい形状にすることができ梱包寸法を小さくできる。
【００２２】
【発明の実施の形態】
以下に、本発明の実施形態に係る画像形成システムについて図面を参照しつつ詳細に説明する。
【００２３】
（画像形成装置本体の構成）
図１は、画像形成システムの構成を示す説明図で、画像形成装置（以下、本体装置という）Ｈは、外部から伝達された画像データに応じて、所定のシート(記録用紙)に対して多色または単色の画像を形成するものであり、その画像形成部Ｈ１には、露光ユニット１、現像器２、感光体ドラム３、帯電器５、クリーナユニット４、転写搬送ベルトユニット８、定着ユニット１２、用紙搬送路Ｓが設けられ、また、給紙トレイ１０および排紙トレイ１５等々を具備している。
【００２４】
本体装置Ｈにおいて扱われる画像データは、ブラック(Ｋ)，シアン(Ｃ)，マゼンタ(Ｍ)，イエロー(Ｙ)の各色を用いたカラー画像に応じたものである。従って、露光ユニット１(１ａ，１ｂ，１ｃ，１ｄ）、現像器２(２ａ，２ｂ，２ｃ，２ｄ）、感光体ドラム３(３ａ，３ｂ，３ｃ，３ｄ）、帯電器５(５ａ、５ｂ，５ｃ，５ｄ）、クリーナユニット４(４ａ，４ｂ、４ｃ，４ｄ）は各色に応じた４種類の潜像を形成するようにそれぞれ４個ずつ設けられ、それぞれａがブラックに、ｂがシアンに、ｃがマゼンタに、ｄがイエローに設定された４つの画像ステーションが構成されている。
【００２５】
感光体ドラム３は、本体装置Ｈのほぼ中心部に配置(装着)されており、帯電器５は、感光体ドラム３の表面を所定の電位に均一に帯電させるための、帯電手段であり接触型のローラ型やブラシ型の帯電器の他、図に示すようにチャージャー型の帯電器が用いられる。
【００２６】
露光ユニット１には、発光素子をアレイ状に並べた例えばＬＥＤ書込みヘッド、図面に記載したレーザ照射部および反射ミラーを備えた、レーザスキャニングユニット(ＬＳＵ)を用いている。そして、帯電された感光体ドラム３を、入力される画像データに応じて露光することにより、その表面に、画像データに応じた静電潜像を形成する機能を有するものである。
【００２７】
現像器２は、それぞれの感光体ドラム３上に形成された静電潜像を(Ｋ，Ｃ，Ｍ，Ｙ)のトナーにより顕像化するものである。クリーナユニット４は、現像・画像転写後における感光体ドラム上の表面に残留したトナーを、除去・回収するものである。
【００２８】
感光体ドラム３の下方に配置されている転写搬送ベルトユニット８は、転写ベルト７、転写ベルト駆動ローラ、転写ベルトテンションローラ、複数の転写ベルト従動ローラ、転写ローラ６（６ａ，６ｂ，６ｃ，６ｄ）、および転写ベルトクリーニングユニット９を備えており、転写ベルト駆動ローラ、転写ベルト従動ローラおよび転写ベルトテンションローラは、転写ベルト７を張架し、矢印Ｂ方向に回転駆動させるものである。
【００２９】
転写ローラ６は、中間転写ベルトユニットの内側のフレーム(図示せず)に回転可能に軸支されており、転写ベルト駆動ローラ、転写ベルト従動ローラおよび転写ベルトテンションローラと共に、転写ベルト７を張架している。この転写ローラ６は、感光体ドラム３のトナー像を、転写ベルト７上に吸着されて搬送されるシート(記録用紙)に転写するものである。
【００３０】
転写ベルト７は、それぞれの感光体ドラム３に接触するように設けられており、感光体ドラム３に形成された各色のトナー像をシート(記録用紙)に順次重ねて転写することによって、カラーのトナー像(多色トナー像)を形成する機能を有している。この転写ベルトは、厚さ１００μｍ程度のフィルムを用いて無端状に形成されている。
【００３１】
感光体ドラム３からシート(記録用紙)へのトナー像の転写は、転写ベルト７の裏側に接触している転写ローラ６によって行われる。転写ローラ６には、トナー像を転写するために高電圧（トナーの帯電極，性(一)とは逆極，性(＋)の高電圧)が印加されている。
【００３２】
転写ローラ６は、直径８〜１０ｍｍの金属（例えばステンレス)軸をベースとし、その表面は、導電性の弾性材(例えばＥＰＤＭ，発泡ウレタン等)により覆われているローラである。この導電性の弾性材により、記録紙(シート)に対して均一に高電圧を印加することができる。
【００３３】
また、感光体ドラム３から転写ベルト７に付着したトナーは、記録紙の裏面を汚す原因となるために、転写ベルトクリーニングユニットによって除去・回収されるように設定されている。
【００３４】
給紙トレイ１０は、印刷に使用するシート(記録用紙)を蓄積しておくためのトレイであり、本体装置Ｈの画像形成部の下側に設けられている。また、本体装置Ｈの上部に設けられている排紙トレイ１５は、印刷済みのシートをフェイスダウンで載置するためのトレイであり、本体装置Ｈの側部に設けられている排紙トレイ３３は、印刷済みのシートをフェイスアップで載置するためのトレイである。
【００３５】
また、本体装置Ｈには、給紙トレイ１０のシートを転写搬送ユニット８や定着ユニット１２を経由させて排紙トレイ１５に送るための、Ｓの字形状の用紙搬送路Ｓが設けられている。さらに、給紙トレイ１０から俳紙トレイ１５および排紙トレイ３３までの用紙搬送路Ｓの近傍には、ピックアップローラ１６、レジストローラ１４、定着部４０、搬送方向切換えゲート３４、搬送ローラ２５等が配設されている。
【００３６】
搬送ローラ２５は、シートの搬送を促進・補助するための、小型のローラであり、用紙搬送路Ｓに沿って複数設けられている。ピックアップローラは、給紙トレイ１０の端部に備えられ、給紙トレイ１０から、シートを１枚毎に用紙搬送路Ｓに供給する呼び込みローラである。
【００３７】
搬送方向切換えゲート３４は、側面カバー３４に回転可能に設けられており、直線で示す状態から破線で示す状態にすることにより搬送路Ｓの途中からシートを分離し排紙トレイ３３にシートを排出できるようになっている。破線で示す状態の場合には、シートは定着ユニット１２と側面カバー３５、搬送切換えガイド３４の間に形成される搬送部Ｓ’（用紙搬送路Ｓの一部)を通り上部の排紙トレイ１５に排出される。
【００３８】
また、レジストローラ１４は、用紙搬送路Ｓを搬送されているシートを一旦保持し、感光体ドラム３上のトナー像をシートに良好に多重転写できるように、感光体ドラム３の回転にあわせて、シートをタイミングよく搬送する機能を有している。
【００３９】
すなわち、レジストローラ１４は、図示しないレジスト前検知スイッチの出力した検知信号に基づいて、各感光体ドラム３上のトナー像の先端をシートにおける印刷範囲の先端に合わせるように、シートを搬送するように設定されている。
【００４０】
定着ユニット１２は、ヒートローラ３１、加圧ローラ３２等を備えており、ヒートローラ３１および加圧ローラ３２は、シートを挟んで回転するようになっている。また、ヒートローラ３１は、図示しない温度検出値に基づいて図示しない制御部によって所定の定着温度となるように設定されており、加圧ローラ３３と共に、シートを熱圧着することにより、シートに転写された多色トナー像を溶融・混合・圧接し、シートに対して熱定着させる機能を有している。
【００４１】
そして、この定着ユニット１２を具備した定着部４０は、排紙部３０と一体化されて、図２に示すように、ジャム処理時等には、本体装置Ｈから引き出せるようになっている。すなわち、本体装置Ｈ側に設けたガイドレール３６に案内されてスライド自在なスライド部材３７に、一体化された定着部４０と排紙部３０が搭載され、その定着部４０と排紙部３０を距離Ｌ１まで本体装置Ｈから離間させることができる。
【００４２】
なお、多色トナー像の定着後のシートは、搬送ローラ２５…によって用紙搬送路Ｓの反転排紙経路(排紙部３０）に搬送され、反転された状態で(多色トナー像を下側に向けて)、排紙トレイ１５上に排出されるようになっている。また、ここではカラー画像形成装置について説明しているが、単一の画像形成ステーションを備えた構成のもの(モノクロ画像形成装置)であってもよい。
【００４３】
（後処理装置）
後処理装置には、図１に仮想線で示すソータ（メールビン）Ｍの仕分けを行う装置やステープルやパンチ等を施すフィニッシャなどの装置があり、固定部材を用いて、本体装置Ｈに直接装着されたり、後付けの中継搬送装置５０を介して装着される。
【００４４】
（給紙デスク装置）
オプション装置である後付けの給紙デスク装置２０は、通常、シート記録材を収容する給紙トレイを備えており、多種多様のシート記録材を予め収容しておくことができる。図に示す給紙デスク装置２０は、最上部にシート記録材の表裏の両面に画像を形成するために片面に画像が形成されたシート記録材を再度本体装置Ｈに供給する両面トレイユニット２６と、２つの給紙トレイ２０ａ，２０ｂを備えている。
【００４５】
また、この給紙デスク装置２０は、両面画像形成機能を必要としない場合は、両面トレイユニット２６の代わりに給紙トレイを挿入できるようになっている。また、図に示す給紙デスク装置２０は、３段構成になっているが、これに限らず１段構成の背の低いもの、２段、４段構成等の、購入者の用途や予算などに応じて複数の種類の中から選択して装着することができる。
【００４６】
そして、このような給紙デスク装置２０の上に本体装置Ｈが載置されると、本体装置Ｈのゴム足ｔ，…により給紙デスク装置２０との間に平面的な隙間空間Ｇが生じるようになっており、本実施形態では、この隙間空間Ｇを、シート記録材のスイッチバック経路（第２反転路）として利用している。
【００４７】
（中継搬送装置および用紙トレイ）
中継搬送装置５０は、本体装置Ｈの排紙部３０に装着され本体装置Ｈから排出されるシート記録材を次の機能部（排紙トレイ３３，用紙反転トレイ９，給紙デスク装置２０の両面トレイユニット２６）に搬送する中継機能を果たす装置である。
【００４８】
この中継搬送装置５０は、その第１反転路５０ａの上部と下部に、第１の反転部５１と第２の反転部５２とを備え、その第１の反転部５１は、排紙トレイ３３、や、後付けされる後処理装置に対して、シート記録材をフェイスダウンさせて排出するときに反転動作（スイッチバック動作）を行う。
【００４９】
第２の反転部５２は、シート記録材の表裏両面に画像を形成する場合に、シート記録材を反転（スイッチバック）させる時に反転動作させ、上述の給紙デスク装置２０のスイッチバック経路Ｇに接続され、そのスイッチバック経路Ｇには、展開させた用紙反転トレイ（支持トレイ）９が挿入される。
【００５０】
また、５３は第１ゲート、５４は第２ゲートであり、５５は、第２の反転部５２から給紙デスク装置２０の両面トレイユニット２６への搬送路である。５５ａは搬送路５５の上部開口で、給紙デスク装置２０のスイッチバック経路Ｇに接続される。５５ｂは搬送路５５の下部開口で、両面トレイユニット２６に接続される。
【００５１】
用紙反転トレイ９は、図３，４に示すように、中継搬送装置５０の下部両側に設けられる回転支点部９１を中心に、その中継搬送装置本体に対して、回動可能に支持されており、中継搬送装置５０を本体装置Ｈに接続した時には（図１参照）、９０°展開されて、本体装置Ｈと給紙デスク装置２０の間に形成される隙間空間Ｇに挿入され、その上に第２スイッチバック経路が形成され、シート記録材を案内する。そして、中継搬送装置５０の輸送梱包時には、図４に示すように、用紙反転トレイ９は折りたたまれて、梱包を容易とする。
【００５２】
このように、本体装置Ｈと給紙デスク装置２０の間に形成される隙間空間Ｇに挿入された用紙反転トレイ９によって、スイッチバックされるシート記録材を案内するため、給紙デスク装置２０の上面の状態の如何を問わず、シート記録材をスムーズにガイドすることができる。
【００５３】
この用紙反転トレイ９には、縦方向の開口（孔でもよい）９２が開設され、図２に示すように、ジャム処理時等に、本体装置Ｈの排紙部３０および定着部４０と共に距離Ｌ１だけ離間方向にスライド移動した場合に、用紙搬送トレイ９の下側に形成される搬送路５５、すなわち、中継搬送装置５０から給紙デスク装置２０の両面トレイユニット２６への搬送路５５の下部開口５５ｂを外部から確認できるようにしている（図３参照）。
【００５４】
具体的には、作業者は、斜め上方から用紙搬送トレイ９の開口９２を通して、その直下の搬送路５５の下部開口５５ｂの状態を明確に確認することができる。なお、開口９２に代えて、用紙搬送トレイ９を透明の樹脂等の材料にて形成してもよい。また、例えば、図５のように（鉄やステンレス等の）外径３〜５ｍｍφ程度の金属線材により用紙搬送トレイ９を形成してもよい。
【００５５】
用紙反転トレイ９は、その基部（一端）を回転支点部９１によって回動可能に支持されると共に、その先端部（他端）を移動抵抗が少ない構造（例えば図３に示すように、凸部ｄ，ｄを設けすべり抵抗を低くするとか、図６に示すように、その先端部両側にコロｒ，ｒ等を取付け転がり接触とすることにより抵抗を低くする）としてもよい。
【００５６】
また、用紙反転トレイ９の長さＬ２（図２参照）は、中継搬送装置５０が本体装置Ｈの排紙部３０，定着部４０と共に引き出された場合に、給紙デスク装置２０から脱落しないように開放移動長（限度）Ｌ１よりも充分長く設定するのが好ましい。
【００５７】
なお、本発明は、画像形成装置の構成を図１のものに限定するものではなく、少なくとも、画像形成部によっていずれか片方の面に画像が形成されたシート記録材をスイッチバックさせた後に再び前記画像形成部に搬送し、前記シート記録材の表裏両面への画像形成を可能とする画像形成システムを構成できる画像形成装置であれば、その形式や構成の如何を問わず、本発明に適用することができる。
【００５８】
【発明の効果】
以上の説明で明らかなように、本発明は、以下の効果を奏する。
【００５９】
（１）画像形成を行う本体装置とオプション装置との境界部に形成される空間をスイッチバック経路として利用するので、いずれの装置（本体装置およびオプション装置）にもシート記録材のスイッチバックを行うための経路を設けなくとも済み、それぞれの装置を、構成の複雑化を伴うことなく、コンパクトに形成することができ、ひいては、画像形成システム全体のコンパクト化を図ることができる。また、スイッチバック時に、シート記録材が、本体装置およびオプション装置の外に出ないため、さらてるオプション装置接続の自由度が向上し、汎用性の高い画像形成システムを構成することができる。
【００６０】
（２）オプション装置内にシート記録材を本体装置に供給するための機構や搬送路を有しているので、スイッチバックさせたシート記録材を容易に本体装置の画像記録部に効率よく供給することができる。
【００６１】
（３）本体装置とオプション装置である給紙デスク装置との間の空間でシート記録材をスイッチバックさせる時に、支持トレイによりシート記録材を支持させるので、オプション装置上面の状態の如何を問わず、スムーズにシート記録材をスイッチバックさせることができる。
【００６２】
（４）支持トレイを透明な材料で形成するので、開放されたオプション装置への搬送路を目視でき、下から覗きこまなくても済み、トラブル（紙つまり等）の復帰作業を容易に行なうことができる。
【００６３】
（５）支持トレイには少なくとも１つ以上の孔を形成するので、開放されたオプション装置への搬送路を目視でき、下から除きこまなくても済みトラブル（紙つまり等）の復帰作業を容易に行なうことができる。
【００６４】
（６）支持トレイの一端が、シート記録材をスイッチバックさせるオプション装置本体に回転可能に支持され、他端が、該支持トレイを支持する前記オプション装置上をスムーズに移動可能とするために移動抵抗が少なくなる構造としているので、オプション装置の上面に沿いながらスムーズに支持トレイをスライド移動させ、装置本体から離間させることができ、ジャム処理時の作業性や保守点検が容易となる。また、シート記録材をスイッチバックさせるオプション装置を梱包し搬送する場合に、支持トレイを折りたたみ梱包しやすい形状にすることができ梱包寸法を小さくできる。
【図面の簡単な説明】
【図１】本発明の実施形態に係る画像形成システムの構成説明図である。
【図２】同中継搬送装置を装置本体から離間させた状態の画像形成システムの構成説明図である。
【図３】同中継搬送装置の支持トレイを開いた状態の斜視図である。
【図４】同支持トレイを閉じた状態の中継搬送装置の斜視図である。
【図５】同異なる支持トレイを具備した中継搬送装置の斜視図である。
【図６】同支持トレイの先端部にローラーを取り付けた中継搬送装置の斜視図である。
【符号の説明】
Ｈ−本体装置
Ｈ１−画像形成部
Ｇ−スイッチバック経路
９−支持トレイ
２０，５０−オプション装置
５５−搬送路
【図１】
0003745687.tif 000002
【図２】
0003745687.tif 000003
【図３】
0003745687.tif 000004
【図４】
0003745687.tif 000005
【図５】
0003745687.tif 000006
【図６】
0003745687.tif 000007